Podtech/llm-jp-corpus-v4-ja_patent huggingface dataset:
【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
式（ＩＶ）
【化１】
2013507448.tif 000001
［式中、
Ｔは単結合であり、
ＹおよびＺは、少なくとも１つのＲ１で置換されたＣ１−Ｃ６アルキルから各々独立して選択され、あるいは、
ＹおよびＺは、それらが付く炭素原子と一緒になってＣ２−Ｃ１０ヘテロシクロアルキルを形成し、
ここで、ＹとＺは、それらが付く炭素原子と一緒になって窒素原子含有のＣ２−Ｃ１０ヘテロシクロアルキルを形成し、Ｃ２−Ｃ１０ヘテロシクロアルキルの窒素原子は、Ｗで置換され、
ＷはＣ（＝Ｏ）−Ｊであり、
Ｊは少なくとも１つのＲ１で置換された−Ｃ１−Ｃ６アルキルであり、
ＲｂはＮＨ２であり、
Ｒ１は各々独立して、−ＯＲ３、−ＮＲ２Ｃ（＝Ｏ）Ｒ８、または、−ＣＯ２Ｒ２から選択され、
Ｒ２は各々独立して、Ｈ、Ｃ１−Ｃ６アルキル、Ｃ１−Ｃ６ハロアルキル、Ｃ１−Ｃ６ヒドロキシアルキル、または、Ｃ３−Ｃ６シクロアルキルであり、
Ｒ３は各々独立して、Ｈ、メチル、エチル、ｎ−プロピル、イソ−プロピル、ｎ−ブチル、イソ−ブチル、ｔｅｒｔ−ブチル、または、ＳＯ３Ｈであり、
Ｒ６は、Ｈ、−ＯＲ３、または、−ＯＳ（＝Ｏ）２ＯＲ２から選択され、
Ｒ８は、随意に置換されたＣ１−Ｃ６アルキル、または、随意に置換されたＣ２−Ｃ６アルケニルである］
の構造を有する化合物、あるいは、その医薬上許容される塩、溶媒和物、または、代謝産物。
【請求項２】
ＹおよびＺは、それらが付く炭素原子と一緒になってＣ２−Ｃ１０ヘテロシクロアルキルを形成する、ことを特徴とする請求項１に記載の化合物。
【請求項３】
ＹおよびＺは、それらが付く炭素原子と一緒になってピペリジニル環を形成する、ことを特徴とする請求項２に記載の化合物。
【請求項４】
Ｊは少なくとも１つのＲ１で置換された−Ｃ１−Ｃ６アルキルであり、Ｒ１は−ＯＨである、ことを特徴とする請求項３に記載の化合物。
【請求項５】
Ｊは２つのＲ１で置換された−Ｃ１−Ｃ６アルキルであり、各々のＲ１は−ＯＨである、ことを特徴とする請求項４に記載の化合物。
【請求項６】
Ｊは−ＣＨ（ＯＨ）ＣＨ２（ＯＨ）である、ことを特徴とする請求項５に記載の化合物。
【請求項７】
ＹおよびＺは、少なくとも１つのＲ１で置換されたＣ１−Ｃ６アルキルから各々独立して選択される、ことを特徴とする請求項２に記載の化合物。
【請求項８】
Ｚは１つのＲ１で置換されたＣ１−Ｃ６アルキルであり、Ｒ１は−ＮＲ２Ｃ（＝Ｏ）Ｒ８である、ことを特徴とする請求項７に記載の化合物。
【請求項９】
Ｒ２はＨであり、Ｒ８はＣ２−Ｃ６アルケニルである、ことを特徴とする請求項８に記載の化合物。
【請求項１０】
Ｚは−ＣＨ２Ｎ（Ｈ）Ｃ（Ｏ）ＣＨ＝ＣＨである、ことを特徴とする請求項９に記載の化合物。
【請求項１１】
Ｙは１つのＲ１で置換されたＣ１−Ｃ６アルキルであり、Ｒ１は−ＯＲ３である、ことを特徴とする請求項８−１０のいずれか１つに記載の化合物。
【請求項１２】
Ｒ３はＨである、ことを特徴とする請求項１１に記載の化合物。
【請求項１３】
Ｙは−ＣＨ２ＣＨ２ＣＨ２（ＯＨ）である、ことを特徴とする請求項１２に記載の化合物。
【請求項１４】
Ｙは１つのＲ１で置換されたＣ１−Ｃ６アルキルであり、Ｒ１は−ＣＯ２Ｒ２である、ことを特徴とする請求項８−１０のいずれか１つに記載の化合物。
【請求項１５】
Ｒ２はＨである、ことを特徴とする請求項１４に記載の化合物。
【請求項１６】
Ｙは−ＣＨ２ＣＨ２ＣＯ２Ｈである、ことを特徴とする請求項１５に記載の化合物。
【請求項１７】
【化２−１】
2013507448.tif 000002
【化２−２】
2013507448.tif 000003
から選択される化合物、あるいは、その医薬上許容される塩、溶媒和物、または、可変異性体。
【請求項１８】
癌を処置するための薬物の製造のための請求項１−１７のいずれか１つの化合物の使用。
【請求項１９】
癌はＢ−細胞増殖性障害である、ことを特徴とする請求項１８に記載の使用。
【請求項２０】
Ｂ−細胞増殖性障害は、びまん性大細胞型Ｂ細胞リンパ腫、濾胞性リンパ腫、または、慢性リンパ球性白血病である、ことを特徴とする請求項１９に記載の使用。
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
改質ポリマーが＜０．５の光学架橋指数（ＯＣＬＩ）および≧１．３の射出成形／圧縮成形（ＩＭ／ＣＭ）係数比を有するようにゴムが架橋されている、ゴム改質モノビニリデンポリマーであって、該ポリマーが塊状または溶液重合によって得られたものである、ポリマー。
【請求項２】
ポリマーがＨＩＰＳである、請求項１に記載のポリマー。
【請求項３】
ポリマーがＡＢＳである、請求項１に記載のポリマー。
【請求項４】
ＯＣＬＩが＜０．４５である、請求項２または３に記載のポリマー。
【請求項５】
ＯＣＬＩが＜０．４である、請求項２または３に記載のポリマー。
【請求項６】
ＩＭ／ＣＭ係数比が≧１．３２である、請求項４に記載のポリマー。
【請求項７】
ＩＭ／ＣＭ係数比が≧１．３５である、請求項５に記載のポリマー。
【請求項８】
請求項１〜７のいずれかに記載のポリマーを含む物品。
【請求項９】
ゴム改質モノビニリデン芳香族ポリマーの延性／剛性バランスを改変するプロセスであって、前記プロセスは、ゴム改質ポリマーが、＜０．５のＯＣＬＩおよび≧１．３のＩＭ／ＣＭ係数比を有するようにゴムを架橋する工程を含み、ゴム改質ポリマーは塊状または溶液重合によって得られる、プロセス。
【請求項１０】
ゴム改質モノビニリデン芳香族ポリマーのゴムが、前記ゴム改質モノビニリデン芳香族ポリマーが作られるプロセスの仕上げ工程の間に架橋される、請求項９に記載のプロセス。
【請求項１１】
仕上げ工程において、仕上げ工程温度またはゴム改質モノビニリデン芳香族ポリマーの滞留時間の少なくとも１つを制御することによってゴムが架橋される、請求項１０に記載のプロセス。
【請求項１２】
ゴムの構造を制御すること、またはポリマーのゴム相について選択性を示す１種以上のオイルでポリマーを希釈することのいずれかによってゴムが架橋される、請求項１０に記載のプロセス。
【請求項１３】
ゴム改質モノビニリデン芳香族ポリマーがＨＩＰＳである、請求項９−１２のいずれか１項に記載のプロセス。
【請求項１４】
仕上げ工程が、２３５℃から２４５℃の間の温度で操作される揮発分除去ユニットを通して、ゴム改質モノビニリデン芳香族ポリマーを通過させる工程を含む、請求項１３に記載のプロセス。
【請求項１５】
ゴム改質モノビニリデン芳香族ポリマーがポリ−α−オレフィンオイルを含む、請求項９に記載のプロセス。
【手続補正書】
【提出日】平成25年10月10日(2013.10.10)
【手続補正１】
【補正対象書類名】特許請求の範囲
【補正対象項目名】全文
【補正方法】変更
【補正の内容】
【特許請求の範囲】
【請求項１】
下記式（Ｉ）の化合物において、
2013507453.tif 000001
式中、
Ｒ１はＨまたはＦであり、
Ｒ２はＢｒまたはＩであり、
Ｒ４はＨ、Ｆ、ＣｌまたはＢｒであり、
2013507453.tif 000002
は二重結合または単結合を表し、
ＸおよびＹは独立に
Ｈ、
ＯＨ、
ＯＲ３もしくは
ＮＨ２
から選択され、
ただし、
2013507453.tif 000003
が二重結合を表す場合、ＸおよびＹはＨであり、
ＺはＨ、ＦまたはＯＲ３であり、
式中、Ｒ３はＣ１〜Ｃ６アルキルであり、
ＡおよびＡ’は独立にＨまたはＣ１〜Ｃ６アルキルであるか、
または
ＡおよびＡ’は、それらが結合しているＣ原子と一緒になって、シクロプロピル環、シクロブチル環またはシクロペンチル環を形成することを特徴とする
化合物
またはその薬学的に許容される塩、溶媒和物もしくは互変異性体。
【請求項２】
下記式（Ｉａ）の化合物において、
2013507453.tif 000004
式中、
Ｒ１はＨまたはＦであり、
Ｒ２はＢｒまたはＩであり、
Ｒ４はＨ、Ｆ、ＣｌまたはＢｒであり、
かつ
Ｚは、Ｈ、ＦまたはＭｅＯであることを特徴とする
化合物
またはその薬学的に許容される塩、溶媒和物もしくは互変異性体。
【請求項３】
請求項２に記載の化合物において
Ｒ１はＨまたはＦであり、
Ｒ２はＢｒまたはＩであり、
Ｒ４はＨ、Ｆ、ＣｌまたはＢｒであり、
ＺはＨ、ＦまたはＯＲ３であり、
式中、Ｒ３はＣ１〜Ｃ６アルキルであることを特徴とする
化合物
またはその薬学的に許容される塩、溶媒和物もしくは互変異性体。
【請求項４】
下記式（Ｉｃ）の化合物であって、
2013507453.tif 000005
式中、
Ｒ１はＨまたはＦであり、
Ｒ２はＢｒまたはＩであり、
Ｒ４はＨ、Ｆ、ＣｌまたはＢｒであり、
ＺはＨ、ＦまたはＯＲ３であり、
式中、Ｒ３はＣ１〜Ｃ６アルキルである
化合物
またはその薬学的に許容される塩、溶媒和物もしくは互変異性体。
【請求項５】
2013507453.tif 000006
から選択されることを特徴とする化合物。
【請求項６】
2013507453.tif 000007
から選択されることを特徴とする化合物。
【請求項７】
ヒトを含む哺乳動物の過剰増殖性障害を処置するための薬剤の調製における請求項１の式（Ｉ）の化合物、またはその薬学的に許容される塩、溶媒和物もしくは互変異性体の使用であって、前記薬剤が前記哺乳動物に治療有効量で投与されるものである、ことを特徴とする使用。
【請求項８】
ヒトを含む哺乳動物の炎症性疾患、状態または障害を処置するための薬剤の調製における請求項１の式（Ｉ）の化合物、またはその薬学的に許容される塩、溶媒和物もしくは互変異性体の使用であって、前記薬剤が前記哺乳動物に治療有効量で投与されるものである、ことを特徴とする使用。
【請求項９】
ヒトを含む哺乳動物のＭＥＫカスケードにより調節される障害または状態を処置するための薬剤の調製における請求項１の式（Ｉ）の化合物、またはその薬学的に許容される塩、溶媒和物もしくは互変異性体の使用であって、前記薬剤が前記哺乳動物に治療有効量で投与されるものである、ことを特徴とする使用。
【請求項１０】
ヒトを含む哺乳動物の癌を処置または予防するための薬剤の調製における請求項１の式（Ｉ）の化合物、またはその薬学的に許容される塩、溶媒和物もしくは互変異性体の使用であって、前記薬剤が前記哺乳動物に治療有効量で投与されるものである、ことを特徴とする使用。
【請求項１１】
治療有効量の式（Ｉ）の化合物、またはその薬学的に許容される塩、溶媒和物もしくは互変異性体を含むことを特徴とする医薬組成物。
【請求項１２】
ＭＥＫ酵素を阻害するための請求項１の式（Ｉ）の化合物、またはその薬学的に許容される塩、溶媒和物もしくは互変異性体の使用であって、前記酵素を、効果的な阻害量の前記薬剤と接触させることを含むことを特徴とする使用。
【手続補正２】
【補正対象書類名】明細書
【補正対象項目名】０００２
【補正方法】変更
【補正の内容】
【０００２】
本発明は、分裂促進因子活性化タンパク質（ＭＡＰ）キナーゼ、具体的にはＭＥＫ１およびＭＥＫ２の新規な阻害剤、およびＲＡＦ／ＭＥＫ／ＥＲＫ経路の阻害作用を介したそうした阻害に関連する病状の処置に関する。
【手続補正３】
【補正対象書類名】明細書
【補正対象項目名】０００３
【補正方法】変更
【補正の内容】
【０００３】
分裂促進因子活性化タンパク質キナーゼ（ＭＡＰＫ）は、多くの癌に関係している。ＭＡＰＫは、様々な外部刺激（たとえば、分裂促進因子および増殖因子）により活性化されて細胞内でその作用を発現し、タンパク質のセリン／トレオニン残基を特異的にリン酸化する。ＭＡＰＫの活性化は、細胞の多くの機能を制御し、細胞増殖、生存、アポトーシス、分化、増殖および遺伝子発現などの生理学的影響を有する。（１）
【手続補正４】
【補正対象書類名】明細書
【補正対象項目名】０００６
【補正方法】変更
【補正の内容】
【０００６】
薬学研究において分裂促進因子活性化タンパク質（ＭＡＰ）キナーゼの阻害剤、特にＭＥＫ１および／またはＭＥＫ２阻害剤の同定は、こうした阻害剤がそうした阻害により影響を受ける様々な病状を処置する薬剤として使用できる可能性があるため、非常に活発な分野である。この分野での最新の包括的な検討については、Ｓ．Ｐｒｉｃｅ，Ｅｘｐｅｒｔ  Ｏｐｉｎ．Ｔｈｅｒ．Ｐａｔｅｎｔｓ（２００８）１８（６），６０３−６２７ａｎｄ  Ｃ．Ｆｒｅｍｉｎ，Ｓ．Ｍｅｌｏｃｈｅ，Ｊｏｕｒｎａｌ  ｏｆ  Ｈｅｍａｔｏｌｏｇｙ  ａｎｄ  Ｏｎｃｏｌｏｇｙ  ２０１０，３：８に掲載されている。
【手続補正書】
【提出日】平成25年10月8日(2013.10.8)
【手続補正１】
【補正対象書類名】特許請求の範囲
【補正対象項目名】全文
【補正方法】変更
【補正の内容】
【特許請求の範囲】
【請求項１】
１種以上のジエンエラストマー、１種以上の補強用充填剤および加硫系をベースとする、タイヤの製造用のゴム組成物であって、前記加硫系が、下記の式を有する１種以上のチアゾール化合物を含むことを特徴とする前記ゴム組成物：
【化１】
2013507469.tif 000001
(式中、R1およびR2は、個々に、H、或いは線状、枝分れまたは環状のアルキル基およびアリール基から選ばれるC1〜C25炭化水素基（１個以上のヘテロ原子によって遮断されていてもよい）を示し、R1およびR2は、一緒になって非芳香族環を形成してもよく；
R3は、
・１個以上のヘテロ原子によって遮断されていてもよく、且つ１個以上の環状C3〜C10アルキルまたはC6〜C12アリール基によって置換されていてもよい、線状または枝分れのC1〜C25アルキル基；または、
・１個以上のヘテロ原子によって遮断されていてもよく、且つ１個以上の線状、枝分れまたは環状のC1〜C25アルキルまたはC6〜C12アリール基(これらの基は１個以上のヘテロ原子によって遮断されていてもよい)によって置換されていてもよい環状のC3〜C10アルキル基；
を示す)。
【請求項２】
R1およびR2が、個々に、Hまたはメチル基を示す、請求項１記載の組成物。
【請求項３】
R1およびR2が、各々、Hを示す、請求項２記載の組成物。
【請求項４】
R1およびR2が、各々、メチル基を示す、請求項２記載の組成物。
【請求項５】
R3が、シクロヘキシル基またはtert‐ブチル基を示す、請求項１〜４のいずれか１項記載の組成物。
【請求項６】
前記１種以上のチアゾール化合物が、
R3がシクロヘキシルを示し；そして、
R1およびR2がメチル基を示すか、或いは
R1およびR2がHを示すか；或いは
R1がメチル基を示し、R2がHを示すか、或いは
R1がHを示し、R2がメチル基を示す、式(I)の化合物から選ばれる、請求項１〜５のいずれか１項記載の組成物。
【請求項７】
前記１種以上のチアゾール化合物が、0.1〜10phr、好ましくは0.5〜7phr、さらにより好ましくは0.5〜5phrを示す(phr：ジエンエラストマー100質量部当りの質量部)、請求項１〜６のいずれか１項記載の組成物。
【請求項８】
前記１種以上のジエンエラストマーが、ポリブタジエン、天然ゴム、合成ポリイソプレン、ブタジエンコポリマー、イソプレンコポリマーおよびこれらエラストマーの混合物からなる群から選ばれる、請求項１〜７のいずれか１項記載の組成物。
【請求項９】
前記１種以上の補強用充填剤が、シリカ、カーボンブラックまたはこれらの混合物から選ばれる、請求項１〜８のいずれか１項記載の組成物。
【請求項１０】
下記の段階を含むことを特徴とする、請求項１〜９のいずれか１項記載のタイヤ製造用のゴム組成物の製造方法：
・１種以上の補強用充填剤を、１種以上のジエンエラストマー中に、第１の“非生産”段階において混入し、全てを、1回以上、130℃と200℃の間の最高温度に達するまで熱機械的に混練する工程；
・混ぜ合せた混合物を100℃よりも低い温度に冷却する工程；
・その後、第２の“生産”段階において、加硫系を混入する工程；および、その後の、
・全てを120℃よりも低い最高温度まで混練する工程。
【請求項１１】
請求項１〜９のいずれか１項記載のゴム組成物を含む、タイヤ。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
官能化ジエンエラストマーであって、以下、
・該エラストマーの75質量％〜95質量％が、単官能性であって、１鎖末端のみに、シラノール官能基またはシラノール末端を有するポリシロキサンブロックを担持し、他の末端は何らの官能化も有していないこと、かつ
・該エラストマーの5質量％〜25質量％が、スズがカップリングしているかまたはスズによって星型枝分れさせていること、
を特徴とする官能化ジエンエラストマー。
【請求項２】
シラノール末端を有する前記ポリシロキサンブロックが、下記の式に相応する、請求項１記載のエラストマー：
【化１】
2013507468.tif 000001
(式中、R1およびR2は、同一または異なるものであって、1〜10個の炭素原子を有するアルキル、シクロアルキル、アリール、アルカリル、アラルキルまたはビニル基を示し、
xは、1〜1500の範囲の整数を示す)。
【請求項３】
無機充填剤を含む少なくとも１種の補強用充填剤とエラストマーマトリックスとをベースとする強化ゴム組成物であって、前記エラストマーマトリックスが、請求項１又は２に記載したような少なくとも１種の官能化ジエンエラストマーを含むことを特徴とする強化ゴム組成物。
【請求項４】
請求項３記載の架橋性または架橋ゴム組成物を含むことを特徴とする、タイヤ用のゴムから製造した半製品。
【請求項５】
請求項４記載の半製品を含むことを特徴とするタイヤ。
【請求項６】
１鎖末端のみにシラノール官能基またはシラノール末端を有するポリシロキサンブロックを担持し、他の末端は何らの官能化も有していない単官能性ジエンエラストマーの低温流れの低減方法であって、前記単官能性ジエンエラストマーを、その状態調節前に、スズがカップリングしているかまたはスズによって星型枝分れさせているジエンエラストマーを前記単官能性ジエンエラストマーの質量に対して5〜35質量％の割合で添加することによって変性することを特徴とする前記低温流れの低減方法。
【請求項７】
１鎖末端のみにシラノール官能基またはシラノール末端を有するポリシロキサンブロックを担持し、他の末端は何らの官能化も有していない単官能性ジエンエラストマーの低温流れの低減方法であって、その合成過程における、重合段階の終了時に、5〜25質量％のリビングエラストマーを、スズ系化合物をカップリングさせるかまたはスズ系化合物によって星型枝分れさせ、そして、その後、前記過程を、75〜95質量％の残りのリビングエラストマーの、シラノール官能基またはシラノール末端を有するポリシロキサンブロックを導入することのできる官能化剤による官能化によって続行することを特徴とする前記低温流れの低減方法。
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
使用時に狭い開口部を通して体内へ挿入されるように配置構成された長尺状部分を備えた開創器を含んでなる手術器具であって、前記長尺状部分は第１の形状から第２の異なる形状へと移行可能であり、第１の形状において互いに間隔を置いて配置されている３対の部品が、第２の形状においては当該器具に沿って、その対によって異なる程度に互いに交差することと、器具の伸びに沿って、第１および第２の対は同じ側で交差し、第３の対は反対側で交差することとを特徴とする、手術器具。
【請求項２】
部品は第２の形状において互いに接触することを特徴とする、請求項１に記載の器具。
【請求項３】
部品のうちの１つは端部領域を含んでなることを特徴とする、請求項１または２に記載の器具。
【請求項４】
部品は端部領域から間隔を置いて配置された部品を含む、請求項１〜３のいずれか１項に記載の器具。
【請求項５】
端部領域は、部品が交差する場所へ向かって上向きに、かつ、部品が交差する場所から下向きに伸びるように移行可能な部分を備えていることを特徴とする、請求項１〜４のいずれか１項に記載の器具。
【請求項６】
器具は剛性部分を備え、剛性部分は少なくとも部分的に互いに交差する部品のうち少なくとも１つを含んでなることと、剛性部分は第１の状態から第２の状態へのいかなる移行にも参加しないこととを特徴とする、請求項１〜５のいずれか１項に記載の器具。
【請求項７】
互いに交差する複数の部品が剛性部分を含むことを特徴とする、請求項６に記載の器具。
【請求項８】
第１の形状において、当該器具は共通の第１の方向に伸びることと、第２の形状において、当該器具の一部は第１の方向とは反対の第２の方向に伸びることとを特徴とする、請求項１〜７のいずれか１項に記載の器具。
【請求項９】
第２の方向においては、当該器具の一部は別の一部に向かって戻るように伸ばされることを特徴とする、請求項８に記載の器具。
【請求項１０】
第２の形状において、当該器具の間隔を置いて配置された２つの長尺状伸長部はいずれも第１の方向に対して角度をなして伸びることを特徴とする、請求項８または９に記載の器具。
【請求項１１】
当該器具は、当該器具が第１の形状から第２の形状へと移行するのを可能にする、間隔を置いて配置された接合領域を備えていることを特徴とする、請求項１〜１０のいずれか１項に記載の器具。
【請求項１２】
間隔を置いて配置された接合領域は、第２の形状において当該器具が自身と３回交差するのを可能にすることを特徴とする、請求項１１に記載の器具。
【請求項１３】
接合領域は、第１の形状から第２の形状への移行を引き起こすのを支援するための、互いに相対的に移動可能な複数のセグメントを含んでなり、複数のセグメントは部品を形成することを特徴とする、請求項１１または１２に記載の器具。
【請求項１４】
基端から先端への当該器具の伸びに沿って、第２の形状において、当該器具は、最初の２対については当該器具自身の上で交差し、第３の対については当該器具自身の下で交差することを特徴とする、請求項１〜１３のいずれか１項に記載の器具。
【請求項１５】
第２の形状において、４つのセグメントによってセグメントが剛性部分に対して９０°の角度で伸びることが可能となり、６つのセグメントによってセグメント（３４）が剛性部分に対して４５°の角度で剛性部分に向かって戻るように伸び、２つのセグメントによってセグメントが剛性部分の上を横切り、その後さらに２つのセグメントによって向きがさらに４５°変化してその次のセグメントに至り、８つの短いセグメントによってさらに向きが１８０°変化して、２つのセグメント（４０，４２）が剛性部分の上を越えて逆行し、セグメントの端部はセグメント（３４）の下に差し込まれることを特徴とする、請求項１３に記載の器具。
【請求項１６】
セグメント（４０，４２）は角度をなした面を備え、角度をなした面により、セグメント（４０）は剛性部分に向かって伸びるにつれて上方へ傾斜し、かつ、セグメント（４２）は下方へ傾斜するようになっていることを特徴とする、請求項１５に記載の器具。
【請求項１７】
第１の形状から第２の形状への移行を引き起こすように配置構成された第１の制御手段を備えていることを特徴とする、請求項１〜１６のいずれか１項に記載の器具。
【請求項１８】
第２の形状において、２つの部品は該部品が互いに交差する領域において互いに向かって付勢されていることを特徴とする、請求項１〜１７のいずれか１項に記載の器具。
【請求項１９】
器具の外側で、端部領域から、該端部領域とは間隔を置いた場所へと伸びている可撓性部材を備えていることを特徴とする、請求項１〜１８のいずれか１項に記載の器具。
【請求項２０】
可撓性部材は第１の形状から第２の形状への移行を引き起こすのを支援するように配置構成されていることを特徴とする、請求項１９に記載の器具。
【請求項２１】
可撓性部材は、第１の形状からの移行が始まると、初期は張力を受け、その後緩められるように配置構成されていることを特徴とする、請求項２０に記載の器具。
【請求項２２】
可撓性部材の操作を制御するように配置構成された第２の制御手段を備えていることを特徴とする、請求項１９〜２１のいずれか１項に記載の器具。
【請求項２３】
第１および第２の制御手段は第１の形状から第２の形状への移行を生じるべく調整されるように配置構成されていることを特徴とする、請求項２２に記載の器具。
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
−中に軸方向に摺動可能に配置されるピストン（２０）を有する医薬品含有カートリッジ（１８）用のホルダ（１４）、
−医薬品の用量を投与するために、カートリッジのピストン（１８）と操作可能に係合されるピストンロッド（２２；５２）、
−ピストン（２０）とピストンロッド（２２；５２）の間の軸方向のクリアランスを除去するように適合された調整アセンブリ（３０；６８）；
を含んでなる、医薬品の用量を投与するための薬物送達デバイス用駆動機構であって：
調整アセンブリ（３０；６８）が、ピストンロッド（２２；５２）の遠位端部分を摺動可能に受けるように適合されたレセプタクル（３６；５４）を含み、そして更に、ピストン（２０）とピストンロッド（２２；５２）の間の相対距離に関係なく、ピストン（２０）とピストンロッド（２２；５２）を適切な位置に相互にロックするために、ピストンロッド（５２）を穿孔し、そして／又はレセプタクル（３６；５４）の側壁（４０）を穿孔するように適合された少なくとも一つの半径方向に伸びるスパイクエレメント（３４；５６）を含むことを特徴とする、上記駆動機構。
【請求項２】
レセプタクル（３６；５４）が、最終組立の構成において、ピストン（２０）の近位表面を受けるスラストに当接する、請求項１に記載の駆動機構。
【請求項３】
レセプタクル（３６；５４）及びピストンロッド（２２；５２）が、遠位方向に相互にスプリング付勢される、請求項１又は２に記載の駆動機構。
【請求項４】
スプリングエレメント（３２；６２）が、レセプタクル（３６；５４）の底面とピストンロッド（２２；５２）の遠位端面の間に配列される、請求項３に記載の駆動機構。
【請求項５】
レセプタクル（３６：５４）の側壁が、その側壁を少なくとも二つの曲げ可能な側壁部分（４０；６０）に分割する軸方向に伸びるスリットを含む、請求項１〜４のいずれか１項に記載の駆動機構。
【請求項６】
レセプタクル（３６；５４）を円周方向に取り囲む固定リング（３８；５８）が、そのレセプタクルの円筒状外面に沿って摺動可能に配列される、請求項２〜５のいずれか１項に記載の駆動機構。
【請求項７】
レセプタクル（２０）及びピストンロッド（２２；５２）を適切な位置に相互にロックするために、固定リング（３８；５８）がロック位置で摺動可能で可動であり、ここで、少なくとも一つのスパイクエレメント（３４；５６）及び固定リング（３８：５８）が、実質的に半径方向で重なる、請求項６に記載の駆動機構。
【請求項８】
少なくとも一つの半径方向の内側に向いているスパイクエレメント（５６）が、レセプタクル（３６；５４）の近位端面に配列される、請求項１〜７のいずれか１項に記載の駆動機構。
【請求項９】
少なくとも一つの半径方向の外側に向いているスパイクエレメント（３４）が、ピストンロッド（２２）の遠位部分の外周上に配列される、請求項１〜８のいずれか１項に記載の駆動機構。
【請求項１０】
多数の半径方向の外側に向いているスパイクエレメントを含むスパイク付きのリング（３４）が、ピストンロッド（２２）の環状の溝内に配置される、請求項１〜９のいずれか１項に記載の駆動機構。
【請求項１１】
請求項１〜１０のいずれか１項に記載の駆動機構を含んでなり、そして更に、投与すべき医薬品で充填されたカートリッジを含んでなる、医薬品の事前に定義された用量を投与する薬物送達デバイス。
【請求項１２】
中に軸方向に摺動可能に配置されるピストン（２０）を有する医薬品含有カートリッジ（１８）用のホルダ（１２）を含んでなる薬物送達デバイス（１０；５０）の駆動機構（１６；６６）におけるピストン（２０）とピストンロッド（２２；５２）の間のクリアランスを除去する方法であって、ここで、ピストンロッド（２２；５２）が医薬品の用量を投与するためにカートリッジのピストン（２０）と操作可能に係合し、次の：
−カップ状レセプタクル（３６；５４）をピストンロッド（２２；５２）の遠位端部分上に事前組立する工程；
−ピストンロッド（２２；５２）を、レセプタクル（３６；５４）がピストン（２０）の近位端面に対して当接するまで、遠位方向に軸方向に動かし、
−少なくとも一つの半径方向に伸びるスパイクエレメント（３４；５６）を用いて、ピストンロッド（５２）を穿孔し、及び／又は、レセプタクル（３６；５４）の側壁（４０）を穿孔することにより、ピストンロッド（２２；５２）及びレセプタクル（３６；５４）を適切な位置に相互にロックすること；
により特徴付けられる、駆動機構（１６；６６）の組立中又は組立後に上記クリアランスを除去する、上記方法。
【手続補正書】
【提出日】平成25年10月3日(2013.10.3)
【手続補正１】
【補正対象書類名】特許請求の範囲
【補正対象項目名】全文
【補正方法】変更
【補正の内容】
【特許請求の範囲】
【請求項１】
動物性消化物の嗜好性を向上させる方法であって、
（１）動物（ただし、ヒトを除く）の内臓を得るステップ、
（２）ゲル化防止量の少なくとも１種のゲル化防止剤を前記内臓に添加して内臓混合物を得るステップ、
（３）前記混合物のｐＨを約７．３〜約８．５に調節するステップ、
（４）前記混合物中のプロテアーゼに前記混合物中のタンパク質を加水分解させるステップ、及び
（５）前記混合物を、メイラード反応を促進する温度に加熱するステップ
を含む方法。
【請求項２】
前記ゲル化防止剤は、タンパク質間の静電相互作用を妨げることができる荷電化合物である、請求項１に記載の方法。
【請求項３】
前記ゲル化防止剤は電解質である、請求項１に記載の方法。
【請求項４】
前記ゲル化防止剤は、塩化ナトリウム（ＮａＣｌ）、塩化カリウム（ＫＣｌ）、ピロリン酸四ナトリウム（ＴＳＰＰ）、トリポリリン酸ナトリウム（ＳＴＰＰ）、リン酸水素二ナトリウム（ＤＳＰ）、トリポリリン酸ナトリウム（ＳＴＰＰ）、酸性ピロリン酸ナトリウム（ＳＡＰＰ）、ヘキサメタリン酸ナトリウム及びそれらの組み合わせである、請求項３に記載の方法。
【請求項５】
前記ゲル化防止剤は、臭化物、フッ化物、重硫酸塩、酢酸塩、ホウ酸塩、クエン酸塩、重炭酸塩、ナトリウム塩、カリウム塩、カルシウム塩、マグネシウム塩、ヨウ化銅及びそれらの組み合わせである、請求項３に記載の方法。
【請求項６】
前記ゲル化防止剤は、塩化ナトリウム、ピロリン酸四ナトリウム及びそれらの組み合わせである、請求項１に記載の方法。
【請求項７】
前記ゲル化防止剤は約０．５〜約５％の量添加される、請求項１に記載の方法。
【請求項８】
前記ｐＨは約７．４〜約８．４に調節される、請求項１に記載の方法。
【請求項９】
前記ｐＨは約７．６〜約８．２に調節される、請求項１に記載の方法。
【請求項１０】
前記プロテアーゼに、前記混合物中のタンパク質を約５０℃〜約７５℃の温度で約０．２５〜約４時間加水分解させる、請求項１に記載の方法。
【請求項１１】
前記混合物は、メイラード反応を促進するために約７０℃〜約１１０℃の温度に加熱される、請求項１に記載の方法。
【請求項１２】
前記混合物中のプロテアーゼに前記混合物中のタンパク質を加水分解させるステップの前に、少なくとも１種の外因性プロテアーゼを前記内臓又は前記内臓混合物に添加するステップをさらに含む、請求項１に記載の方法。
【請求項１３】
加熱ステップの前に、少なくとも１種の還元糖を前記混合物に添加するステップをさらに含む、請求項１に記載の方法。
【請求項１４】
加熱ステップの前に、少なくとも１種のアミノ酸を前記混合物に添加するステップをさらに含む、請求項１に記載の方法。
【請求項１５】
加熱ステップの前に、少なくとも１種の還元糖及び少なくとも１種のアミノ酸を前記混合物に添加するステップをさらに含む、請求項１に記載の方法。
【請求項１６】
前記混合物中のプロテアーゼに前記混合物中のタンパク質を加水分解させるステップの前に、少なくとも１種の外因性プロテアーゼを前記内臓又は前記内臓混合物に添加するステップをさらに含み、加熱ステップの前に、少なくとも１種の還元糖及び少なくとも１種のアミノ酸を前記混合物に添加するステップをさらに含む、請求項１に記載の方法。
【請求項１７】
請求項１に記載の方法により製造される動物性消化物。
【請求項１８】
少なくとも１種の食用成分と少なくとも１種の動物性消化物とを含む食用組成物であって、前記動物性消化物は請求項１に記載の方法により製造される、食用組成物。
【請求項１９】
ペットフード組成物である、請求項１８に記載の食用組成物。
【請求項２０】
嗜好性の向上した食用組成物を製造する方法であって、
少なくとも１種の動物性消化物と少なくとも１種の食用成分とを混合するか、少なくとも１種の動物性消化物を少なくとも１種の食用成分の全体又は一部に施すステップを含み、前記動物性消化物は請求項１に記載の方法を用いて製造される、方法。
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
合成高分子膜と合成高分子ハウジングを有する細胞成長モジュールの組立方法であって、
ガンマ線照射によって前記膜を処理して、細胞を前記膜に接着させるために前記膜の表面を修飾する工程と、
前記処理工程の後に、前記処理した膜を前記ハウジングに挿入する工程と、
前記挿入工程の後に、前記処理した膜をポッティングして、前記細胞成長モジュールを形成する工程と
を備え、
前記ガンマ線照射を行う際、前記膜は乾燥していることを特徴とする細胞成長モジュールの組立方法。
【請求項２】
請求項１記載の細胞成長モジュールの組立方法において、前記膜は複数の中空糸であることを特徴とする細胞成長モジュールの組立方法。
【請求項３】
請求項２記載の細胞成長モジュールの組立方法において、前記処理工程を行う前に前記中空糸を束ねる工程をさらに備えることを特徴とする細胞成長モジュールの組立方法。
【請求項４】
請求項２記載の細胞成長モジュールの組立方法において、前記処理工程を行った後に前記中空糸を束ねる工程をさらに備えることを特徴とする細胞成長モジュールの組立方法。
【請求項５】
請求項１記載の細胞成長モジュールの組立方法において、前記ガンマ線照射による前記膜の前記処理は、１２．５ｋＧｙから１７５ｋＧｙの範囲のガンマ線照射線量にて処理を行うことを特徴とする細胞成長モジュールの組立方法。
【請求項６】
請求項１記載の細胞成長モジュールの組立方法において、前記膜は、ポリビニルピロリドンと、ポリスルホン、ポリエーテルスルホン、ポリアリルエーテルスルホン及びそれらの組み合わせからなる群から選択される高分子とから構成されることを特徴とする細胞成長モジュールの組立方法。
【請求項７】
請求項１記載の細胞成長モジュールの組立方法において、前記膜は、平板膜を備えることを特徴とする細胞成長モジュールの組立方法。
【請求項８】
請求項１記載の細胞成長モジュールの組立方法において、
前記ポッティング工程の後に、細胞を前記細胞成長モジュールに導入する工程と、
前記細胞成長モジュールにおいて前記細胞を成長させる工程と、
をさらに備えることを特徴とする細胞成長モジュールの組立方法。
【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
合成核酸配列が以下の配列の何れか１つの少なくとも１０から２０個の連続ヌクレオチドを含む、１０から３０個の連続ヌクレオチドを含む合成核酸：
（ｉ）配列番号３、それに相補的な配列又はストリンジェントな条件下で配列番号３もしくはその相補体とハイブリッド形成可能である配列；
（ｉｉ）配列番号４、それに相補的な配列又はストリンジェントな条件下で配列番号４もしくはその相補体とハイブリッド形成可能である配列；
（ｉｉｉ）配列番号５、それに相補的な配列又はストリンジェントな条件下で配列番号５もしくはその相補体とハイブリッド形成可能である配列；又は
（ｉｖ）配列番号６、それに相補的な配列又はストリンジェントな条件下で配列番号６もしくはその相補体とハイブリッド形成可能である配列。
【請求項２】
（ａ）ＩＮＳＲ遺伝子のエクソン１０の最後の５０塩基（配列番号１）、それに相補的な配列又はストリンジェントな条件下で配列番号１もしくはその相補体とハイブリッド形成可能である配列の、１０から３０個の連続ヌクレオチドを含む、合成核酸配列と；
（ｂ）ＩＮＳＲ遺伝子のエクソン１２の最初の６０塩基（配列番号２）、それに相補的な配列又はストリンジェントな条件下で配列番号２もしくはその相補体とハイブリッド形成可能である配列の、１０から３０個の連続ヌクレオチドを含む、合成核酸配列と、
を含む、生体試料中のＩＲ−Ａ核酸を検出及び／又は定量するためのプライマーセット。
【請求項３】
（ａ）ポリメラーゼによる増幅に適切な条件下で請求項２に記載のプライマーセットと生体試料又は生体試料から調製された核酸を接触させる工程；
（ｂ）増幅された標的ＩＲ−Ａ核酸配列を検出及び／又は定量する工程を含む、生体試料中のＩＲ−Ａ核酸を検出及び／又は定量するための方法。
【請求項４】
合成核酸配列が、以下の配列の何れか１つの少なくとも１０から２０個の連続ヌクレオチドを含む、１０から３０個の連続ヌクレオチドを含む合成核酸：
（ｉ）配列番号１１、それに相補的な配列又はストリンジェントな条件下で配列番号１１もしくはその相補体とハイブリッド形成可能である配列；又は
（ｉｉ）配列番号１２、それに相補的な配列又はストリンジェントな条件下で配列番号１２もしくはその相補体とハイブリッド形成可能である配列。
【請求項５】
（ａ）（ｉ）ＩＮＳＲ遺伝子のエクソン１０の最後の５０塩基（配列番号１）、それに相補的な配列又はストリンジェントな条件下で配列番号１もしくはその相補体とハイブリッド形成可能である配列の、１０から３０個の連続ヌクレオチドを含む、合成核酸配列、
（ａ）（ｉｉ）ＩＮＳＲ遺伝子のエクソン１１（配列番号９）、それに相補的な配列又はストリンジェントな条件下で配列番号９もしくはその相補体とハイブリッド形成可能である配列、の１０から３０個の連続ヌクレオチドを含む、合成核酸配列；
（ａ）（ｉｉｉ）エクソン１０及び１１を架橋する塩基、それに相補的な配列又はストリンジェントな条件下でそれともしくはその相補体とハイブリッド形成可能である配列の、１０から３０個の連続ヌクレオチドを含む、合成核酸配列と、
（ｂ）ＩＮＳＲ遺伝子のエクソン１２の最初の５０塩基（配列番号１０）、それに相補的な配列又はストリンジェントな条件下で配列番号１０もしくはその相補体とハイブリッド形成可能である配列又はそれに相補的な配列の、１０から３０個の連続ヌクレオチドを含む合成核酸配列と、
を含む、生体試料中のＩＲ−Ｂ核酸配列を検出及び／又は定量するためのプライマーセット。
【請求項６】
（ａ）ポリメラーゼによる増幅に適切な条件下で請求項５に記載のプライマーセットと生体試料又は生体試料から調製される核酸を接触させる工程；
（ｂ）増幅された標的ＩＲ−Ｂ核酸配列を検出及び／又は定量する工程
を含む、生体試料中のＩＲ−Ｂ核酸を検出及び／又は定量するための方法。
【請求項７】
ポリメラーゼによる増幅に適切な条件下で生体試料中のＩＲ−Ａ核酸配列を検出及び／又は定量するためのプライマーセットと生体試料又は生体試料から調製された核酸の試料を接触させること（該プライマーセットは、請求項２に記載のプライマーセットを含む）及び／又は、ポリメラーゼによる増幅に適切な条件下で生体試料中のＩＲ−Ｂ核酸配列を検出及び／又は定量するためのプライマーセットと生体試料又は生体試料から調製された核酸の試料を接触させること（該プライマーセットは、請求項５に記載のプライマーセットを含む）と、
増幅された標的ＩＲ−Ａ又はＩＲ−Ｂ核酸配列を検出及び／又は定量することと、
を含む、生体試料中の標的ＩＲ−Ａ核酸配列及び／又は標的ＩＲ−Ｂ核酸配列の有無を判定するための方法。
【請求項８】
請求項３に従い、試料中のＩＲ−Ａ発現を検出及び／又は定量し；
請求項６に従い、試料中のＩＲ−Ｂ発現を検出及び／又は定量することを含み、
ＩＲ−Ａ及びＩＲ−Ｂの発現が、ＩＧＦＩ／ＩＩリガンド又はＩＧＦ１Ｒ受容体アンタゴニストを対象に投与するべきか否かの指標である、ＩＧＦＩ／ＩＩリガンド又はＩＧＦＲ１受容体アンタゴニストに応答する患者を選択するための方法。
【請求項９】
ＩＧＦＩ／ＩＩリガンド又はＩＧＦＲ１受容体アンタゴニストが抗体である、請求項８に記載の方法。
【請求項１０】
前記抗体が表１及び表２で挙げられる配列成分を含む、請求項９に記載の方法。
【請求項１１】
ポリメラーゼによる増幅に適切な条件下で、生体試料又は生体試料から調製された核酸を請求項２に記載のプライマーセットと接触させることと、
ポリメラーゼによる増幅に適切な条件下で、生体試料又は生体試料から調製された核酸を請求項５に記載のプライマーセットと接触させることと；
増幅されたＩＲ−Ａ及びＩＲ−Ｂ核酸配列を定量することと；
それによって生体試料中のＩＲ−Ｂに対するＩＲ−Ａの相対発現を決定することと、
を含む、生体試料中の標的ＩＲ−Ａ核酸配列及び標的ＩＲ−Ｂ核酸配列の相対的な有無を決定するための方法。
【請求項１２】
請求項１１に記載の方法によって腫瘍試料中のＩＲ−Ｂに対するＩＲ−Ａの相対発現を決定することと、
ＩＲ−Ａ及びＩＲ−Ｂの相対発現を含む基準によって腫瘍を分類することと、
を含む、腫瘍を分類する方法。
【請求項１３】
分類に従って投与するためのＩＧＦアンタゴニストを含む医薬組成物であって、該分類が、請求項１１に記載の方法によって組織試料中のＩＲ−Ｂに対するＩＲ−Ａの相対発現を決定し、ＩＲ−Ａ及びＩＲ−Ｂの相対発現を含む基準によって患者を分類することによって提供されるところの、医薬組成物。
【請求項１４】
請求項１１に記載の方法によって乳癌腫瘍試料中のＩＲ−Ｂに対するＩＲ−Ａの相対発現を決定することと、ＩＲ−Ａ：ＩＲ−Ｂ比が閾値よりも低い場合にｌｕｍｉｎａｌ  Ｂとして乳癌サブタイプを分類することと、を含む、乳癌腫瘍サブタイプを分類する方法。
【手続補正書】
【提出日】平成25年7月17日(2013.7.17)
【手続補正１】
【補正対象書類名】明細書
【補正対象項目名】００１６
【補正方法】変更
【補正の内容】
【００１６】
図１に示す本発明の一実施形態によるローラ清掃アセンブリ１０は、平滑化ヘッド（又は下部構造）１１を備える。この平滑化ヘッド１１は、米国特許第５，４６８，２６７号明細書に開示されているものであり、米国特許第５，４６８，２６７号明細書に記載されている芝生ローラ１００（図２）のかじ取り機構１０１に取り付けられるかじ取りリンク１２を有する。ローラ清掃アセンブリ１０は、さらに、芝生ローラ１００のフレーム１０２に平滑化ヘッド１１を回転可能に取り付けるための差込部１３と、アイドラ又は平滑化ローラ１４，１５及び１６とを有する。アイドラ又は平滑化ローラ１４，１５及び１６は、アイドラ又は平滑化ローラ１４，１５，１６のそれぞれの長手方向の短軸（図示しない）と係合する留め具７，８，９により、対向する端板１８及び１９に回転可能に支持されている。端板１８及び１９には適宜な軸受（図示しない）が取り付けられ、アイドラ又は平滑化ローラ１４，１５及び１６が草地又は芝生に接触した際にアイドラ又は平滑化ローラ１４，１５及び１６が容易に回転できるようになっている。
【手続補正２】
【補正対象書類名】図面
【補正対象項目名】図１
【補正方法】変更
【補正の内容】
【図１】
2013507133.tif 000001
【手続補正３】
【補正対象書類名】図面
【補正対象項目名】図２
【補正方法】変更
【補正の内容】
【図２】
2013507133.tif 000002
【手続補正書】
【提出日】平成25年6月5日(2013.6.5)
【手続補正１】
【補正対象書類名】特許請求の範囲
【補正対象項目名】全文
【補正方法】変更
【補正の内容】
【特許請求の範囲】
【請求項１】
（ａ）免疫グロブリン重鎖およびイズロン酸−２−スルファターゼ（ＩＤＳ）のアミノ酸配列を含む融合タンパク質であって、イズロン酸−２−スルファターゼのアミノ酸配列が免疫グロブリン重鎖のアミノ酸配列と共有結合している融合タンパク質；ならびに
免疫グロブリン軽鎖；または
（ｂ）免疫グロブリン軽鎖およびイズロン酸−２−スルファターゼのアミノ酸配列を含む融合タンパク質であって、イズロン酸−２−スルファターゼのアミノ酸配列が免疫グロブリン軽鎖のアミノ酸配列と共有結合している融合タンパク質；ならびに
免疫グロブリン重鎖；
を含む融合抗体であって、血液脳関門（ＢＢＢ）を通過する融合抗体。
【請求項２】
デルマタン硫酸、ヘパラン硫酸またはヘパリンのＬ−イズロン酸  ２−硫酸単位の２−硫酸基の加水分解を触媒する、請求項１に記載の融合抗体。
【請求項３】
ＩＤＳのアミノ酸配列が、（ａ）免疫グロブリン重鎖のアミノ酸配列のカルボキシ末端に共有結合しているか、または（ｂ）免疫グロブリン軽鎖のアミノ酸配列のカルボキシ末端に共有結合している、請求項１に記載の融合抗体。
【請求項４】
（ａ）の融合タンパク質がイズロン酸−２−スルファターゼのアミノ酸配列と免疫グロブリン重鎖のアミノ酸配列のカルボキシ末端の間のリンカーをさらに含むか、または（ｂ）の融合タンパク質が、イズロン酸−２−スルファターゼのアミノ酸配列と免疫グロブリン軽鎖のアミノ酸配列のカルボキシ末端の間のリンカーをさらに含む、請求項１に記載の融合抗体。
【請求項５】
（ａ）の融合タンパク質が配列番号１０と少なくとも９５％同一であるアミノ酸配列を含む、請求項１〜４のいずれかに記載の融合抗体。
【請求項６】
融合抗体がスルファターゼ修飾因子１（ＳＵＭＦ１）によって翻訳後修飾されている、請求項１〜５のいずれかに記載の融合抗体。
【請求項７】
融合抗体がホルミルグリシンを含む、請求項１〜６のいずれかに記載の融合抗体。
【請求項８】
融合抗体のイズロン酸−２−スルファターゼ比活性が少なくとも約１０，０００ユニット／ｍｇである、請求項１〜７のいずれかに記載の融合抗体。
【請求項９】
ＩＤＳが、独立体（separate entity）としてのその活性と比較して、その活性の少なくとも２０％を保持している、請求項１〜８のいずれかに記載の融合抗体。
【請求項１０】
ＩＤＳおよび免疫グロブリンが、独立体（separate entity）としてのその活性と比較して、その活性の少なくとも２０％をそれぞれ保持している、請求項１〜８のいずれかに記載の融合抗体。
【請求項１１】
免疫グロブリン重鎖がＩｇＧの免疫グロブリン重鎖である、請求項１〜１０のいずれかに記載の融合抗体。
【請求項１２】
ＩｇＧがＩｇＧ１である、請求項１１に記載の融合抗体。
【請求項１３】
免疫グロブリン軽鎖がκクラスの免疫グロブリン軽鎖である、請求項１〜１０のいずれかに記載の融合抗体。
【請求項１４】
免疫グロブリン重鎖が配列番号１のアミノ酸配列に相当するＣＤＲ１、配列番号２のアミノ酸配列に相当するＣＤＲ２、または配列番号３のアミノ酸配列に相当するＣＤＲ３を含む、請求項１〜１３のいずれかに記載の融合抗体。
【請求項１５】
免疫グロブリン軽鎖が配列番号４のアミノ酸配列に相当するＣＤＲ１、配列番号５のアミノ酸配列に相当するＣＤＲ２、または配列番号６のアミノ酸配列に相当するＣＤＲ３を含む、請求項１〜１４のいずれかに記載の融合抗体。
【請求項１６】
融合抗体が内在性ＢＢＢ受容体媒介輸送系に結合することによってＢＢＢを通過する、請求項１〜１５のいずれかに記載の融合抗体。
【請求項１７】
融合抗体がインスリン受容体、トランスフェリン受容体、レプチン受容体、リポタンパク質受容体、およびＩＧＦ受容体からなる群から選択される内在性ＢＢＢ受容体に結合することによってＢＢＢを通過する、請求項１〜１５のいずれかに記載の融合抗体。
【請求項１８】
融合抗体がインスリン受容体に結合することによってＢＢＢを通過する、請求項１〜１５のいずれかに記載の融合抗体。
【請求項１９】
請求項１〜１８のいずれかに記載の融合抗体の治療的有効量および医薬的に許容される賦形剤を含む医薬組成物。
【請求項２０】
請求項１〜１８のいずれかに記載の融合抗体をコードしている単離されたポリヌクレオチド。
【請求項２１】
単離されたポリヌクレオチドが配列番号１４の核酸配列を含む、請求項２０に記載の単離されたポリヌクレオチド。
【請求項２２】
請求項２０または２１に記載の単離されたポリヌクレオチドを含むベクター。
【請求項２３】
請求項２２に記載のベクターを含む宿主細胞。
【請求項２４】
宿主細胞がチャイニーズハムスター卵巣（ＣＨＯ）細胞である、請求項２３に記載の宿主細胞。
【請求項２５】
融合抗体の治療的有効量を含む、対象の中枢神経系におけるイズロン酸−２−スルファターゼ欠乏症の治療のための薬剤の製造において使用するための、請求項１〜１８のいずれかに記載の融合抗体。
【請求項２６】
融合抗体が非経口投与、静脈内投与、皮下投与、筋肉内投与、経鼻投与、動脈内投与、経皮投与、または呼吸器投与による投与用である、請求項２５に記載の使用するための融合抗体。
【請求項２７】
治療的有効量が、体重５０ｋｇ当たり標準化された、脳に送達される少なくとも約１２，５００ユニットのイズロン酸−２−スルファターゼ活性である、請求項２５に記載の使用するための融合抗体。
【請求項２８】
治療的有効量が、少なくとも約２５０，０００ユニットのイズロン酸−２−スルファターゼ活性または少なくとも約２０，０００ユニット／Ｋｇ体重を含む、請求項２５に記載の使用するための融合抗体。
【手続補正書】
【提出日】平成25年10月8日(2013.10.8)
【手続補正１】
【補正対象書類名】特許請求の範囲
【補正対象項目名】全文
【補正方法】変更
【補正の内容】
【特許請求の範囲】
【請求項１】
ＩＬ−１７ＲＡのＩＬ−１７結合決定基を含む単離されたポリペプチドであって、前記ポリペプチドがＩＬ−１７ＲＡの細胞外ドメインと同一ではないポリペプチド。
【請求項２】
ＩＬ−１７結合決定基が、ＩＬ−１７ＲＡ（配列番号１４）のアミノ酸２２〜３６、８３〜９６、１１８〜１４７、１５２〜１７９及び２５６〜２７１から成る群から選択される、請求項１に記載の単離されたポリペプチド。
【請求項３】
ＩＬ−１７Ｆ及び／又はＩＬ−１７Ａを結合することが可能である、請求項１又は２に記載の単離されたポリペプチド。
【請求項４】
ポリペプチドのＩＬ−１７Ａとの結合が、ＩＬ−１７Ａの略２１〜３９、４０〜７６、８０〜１０１及び１０２〜１３１から成る群から選択される１以上のアミノ酸との接触を含む、請求項１、２又は３に記載の単離されたポリペプチド。
【請求項５】
請求項１〜４のいずれか１項に記載の単離されたポリペプチドを含む組成物。
【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
乳清タンパク質含有組成物から乳清タンパク質抽出物を製造する方法であって、−  乳清タンパク質含有組成物を水溶液と接触させ、それによって可溶性タンパク質含有構成要素と不溶性構成要素を含むサンプルを形成するステップと；
−  前記可溶性タンパク質含有構成要素を前記サンプルから回収するステップと；
−  前記可溶性タンパク質含有構成要素を酸性化するステップを含み；
それによって乳清タンパク質抽出物を形成することを特徴とする方法。
【請求項２】
請求項１に記載の方法において、前記乳清タンパク質含有組成物が、甘性乳清、酸性乳清、乳糖低減乳清、脱ミネラル乳清、乳清タンパク質濃縮物（ＷＰＣ）または乳清タンパク質単離物（ＷＰＩ）の１つ以上を含むことを特徴とする方法。
【請求項３】
請求項２に記載の方法において、前記乳清タンパク質含有組成物中のタンパク質量が、乾燥重量を基準にして少なくとも約１０％〜約９５％ｗ／ｗであることを特徴とする方法。
【請求項４】
請求項１〜３のいずれか一項に記載の方法において、前記乳清タンパク質含有組成物が、炭水化物および脂肪の少なくとも１つを含み、前記乳清タンパク質含有組成物中の炭水化物量が、乾燥重量を基準にして少なくとも約１％〜約８０％ｗ／ｗ未満であり、前記乳清タンパク質含有組成物中の脂肪の量が、乾燥重量を基準にして少なくとも約０．５％〜約１０％ｗ／ｗ未満であることを特徴とする方法。
【請求項５】
請求項１〜４のいずれか一項に記載の方法において、前記乳清タンパク質含有組成物が、乾燥重量を基準にして約８０〜８２％のタンパク質、約４〜８％の乳糖、および約４〜８％ｗ／ｗの脂肪を含むことを特徴とする方法。
【請求項６】
請求項１〜５のいずれか一項に記載の方法において、前記乳清タンパク質含有組成物がＷＰＣであることを特徴とする方法。
【請求項７】
請求項６に記載の方法において、前記ＷＰＣがＷＰＣ８０であることを特徴とする方法。
【請求項８】
請求項１〜７のいずれか一項に記載の方法において、前記乳清タンパク質含有組成物が、前記水溶液と接触する粉末形態で提供されることを特徴とする方法。
【請求項９】
請求項１〜８のいずれか一項に記載の方法において、前記水溶液が水であることを特徴とする方法。
【請求項１０】
請求項１〜９のいずれか一項に記載の方法において、前記水溶液と少なくとも約０．５％〜１０％ｗ／ｗの乳清タンパク質含有組成物の量で接触する、前記乳清タンパク質含有組成物が提供されることを特徴とする方法。
【請求項１１】
請求項１〜１０のいずれか一項に記載の方法において、前記可溶性タンパク質含有構成要素が、前記不溶性固体から前記可溶性タンパク質含有構成要素を分離することで回収されることを特徴とする方法。
【請求項１２】
請求項１〜１１のいずれか一項に記載の方法において、前記可溶性タンパク質含有構成要素が、前記可溶性タンパク質含有構成要素に少なくとも約２．５のｐＨを提供することによって酸性化されることを特徴とする方法。
【請求項１３】
請求項１〜１２のいずれか一項に記載の方法において、
−  前記酸性化された可溶性タンパク質含有構成要素を中和する
さらなるステップを含むことを特徴とする方法。
【請求項１４】
請求項１〜１３のいずれか一項に記載の方法において、前記可溶性タンパク質含有構成要素を乾燥させて、粉末を形成するステップを含むことを特徴とする方法。
【請求項１５】
乳清タンパク質抽出物において、前記抽出物が請求項１〜１４のいずれか一項に記載の方法によって生成されることを特徴とする抽出物。
【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
毛保持面と、前記毛保持面に個々に植設された少なくとも100本の毛を有する植毛領域とを有しており、毛の高さは、実質的に不規則に互いに異なり、かつ前記毛保持面における毛の位置から実質的に独立するヘアブラシであって、前記植毛領域は、
(i)少なくとも5つの高さが有意に互いに異なる高さ特性と、
(ii)前記毛のそれぞれが少なくとも0.5mmの幅を有する幅特性と、
(iii)前記毛のうち少なくとも60％が丸い端部を有する毛端部特性と、
を有するヘアブラシ。